(57)【要約】【課題】筆記具を把持する位置となる、筆記先端からの距離を変更することなく、把持感触の相違を得ることができる筆記具の軸筒を簡単な構造で提供する。【解決手段】軸筒本体に、他の軸筒の外径よりも小径の把持部を形成し、該把持部に軟質材からなるグリップ部材を装着してなる筆記具の軸筒において、前記グリップ部材の内壁又は把持部の外壁に、円周方向に非連続、且つ円周方向の異なる位置に凹部を形成するとともに、該凹部が、円周方向で隣設する一方及び／又は両方の凹部とで形状が異なることを特徴とする。【選択図】          図１
2007144702.tif 000002
【特許請求の範囲】
【請求項１】
軸筒本体に、他の軸筒の外径よりも小径の把持部を形成し、該把持部に軟質材からなるグリップ部材を装着してなる筆記具の軸筒において、前記グリップ部材の内壁又は把持部の外壁に、円周方向に非連続、且つ円周方向の異なる位置に凹部を形成するとともに、該凹部が、円周方向で隣設する一方及び／又は両方の凹部とで形状が異なることを特徴とする筆記具の軸筒。
【請求項２】
前記グリップ部材が、透明又は半透明からなることを特徴とする請求項１に記載の筆記具の軸筒。
【請求項３】
前記凹部が、文字及び／又は図形であることを特徴とする請求項２に記載の筆記具の軸筒。
【発明の詳細な説明】
【技術分野】
【０００１】
本発明は、軸筒本体に、他の軸筒の外径よりも小径の把持部を形成し、該把持部に軟質材からなるグリップ部材を装着してなる筆記具の軸筒に関する。 
【背景技術】
【０００２】
従来から、軸筒本体に、他の軸筒の外径よりも小径の把持部を形成し、該把持部に軟質材からなるグリップ部材を装着してなる軸筒は知られている。
【０００３】
こうした筆記具の軸筒において、特開２００５−４１０４０号公報の「軸体」に、グリップ部材の外表面に環状突部を複数設け、この環状突部の幅及び／または環状溝部の幅を異ならしめ、グリップ部材の把持感触が良好となる筆記具の軸筒が開示されている。
【０００４】
また、実開平７−１５３７３号公報「軸体のグリップ」には、グリップ部材と軸筒との間に空隙部を形成し、把持した時にグリップ部材が内側に撓む構造とし、弾力を得られる筆記具の軸筒が開示されている。
【特許文献１】「特開２００５−４１０４０号公報」
【特許文献２】「実開平７−１５３７３号公報」
【発明の開示】
【発明が解決しようとする課題】
【０００５】
確かに、把持した時に、親指及び／又は中指が当接し、把持する力によってグリップ部材を変形させて、把持感触を変更することは可能である。しかしながら使用者には、硬い把持感触を好む人と、軟らかい把持感触を好む人と、好みは様々である。
【０００６】
ところで、筆記具を把持する位置は、グリップ部材の軸筒先端側を把持する人と、グリップ部材の軸筒後端側を把持する人と、筆記先端からの距離は、軸筒の外径やインキの種類によっても多少異なるが、人によって好みがあるのが現状である。
【０００７】
前述した特許文献１、２では、把持力によっても異なるが、筆記先端からの距離によってグリップの撓む量が略決定されるので、結果として把持感触も決まってしまう。そのため、把持感触を変更するには、筆記具を把持する位置（筆記先端からの距離）を変更することが必要であった。
【０００８】
本発明の目的は、筆記具を把持する位置となる、筆記先端からの距離を変更することなく、把持感触の相違を得ることができる筆記具の軸筒を簡単な構造で提供することである。
【課題を解決するための手段】
【０００９】
本発明は、軸筒本体に、他の軸筒の外径よりも小径の把持部を形成し、該把持部に軟質材からなるグリップ部材を装着してなる筆記具の軸筒において、前記グリップ部材の内壁又は把持部の外壁に、円周方向に非連続、且つ円周方向の異なる位置に凹部を形成するとともに、該凹部が、円周方向で隣設する一方及び／又は両方の凹部とで形状が異なることを特徴とする。
【００１０】
また、前記グリップ部材が、透明又は半透明からなることを特徴とする。
【００１１】
また、前記凹部が、文字及び／又は図形であることを特徴とする。
【００１２】
本発明の軟質材は、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定すればよい。
【発明の効果】
【００１３】
筆記具を把持する位置となる、筆記先端からの距離を変更することなく、把持感触の相違を得ることができる筆記具の軸筒を簡単な構造で提供することができた。
【発明を実施するための最良の形態】
【００１４】
次に図面を参照しながら、本発明の筆記具の軸筒の実施例を説明するが、本発明は以下の実施例に限定されるものではない。
【実施例１】
【００１５】
図１から図４に示す実施例１の筆記具の軸筒１は、軸筒本体２に他の軸筒本体の外径より小径の把持部３を形成してあり、この把持部３に半透明のシリコーンからなる円筒状のグリップ部材５を装着して筆記具の軸筒１を得ている。また、軸筒本体２の先端部に形成した雄ねじ部７に口金６の雌ねじ部８を着脱自在に螺合してある。
【００１６】
小径の把持部１３には、円周上に非連続、且つ軸方向に延びる溝状の凹部４ａ、４ｂを、円周方向に２個、形成してある。凹部４ａ、４ｂは凹部の幅の相違によって形状を異ならしめてある。具体的には、一方の凹部４ａの幅Ｌ１に対して、他方の凹部４ｂの幅Ｍ１を大きくしてある。（Ｌ１＜Ｍ１）
【００１７】
把持部３に円周上に非連続、且つ軸心方向に延びる溝状の凹部４ａ、４ｂを形成すことによって、把持部先端３ａ側から後端３ｂ側まで、同一方向、例えば図１の矢印Ｐ方向の把持感触を同一することができる。
【００１８】
また、円周上に非連続、円周方向で隣設する凹部とで形状が異なることによって、図４に示すように、矢印Ｐ方向ではグリップ部材の撓み量が多く、柔らかい把持感触を得ることができ、矢印Ｒ方向では矢印Ｐ方向よりも撓み量が少なくやや柔らかい把持感触、他の矢印Ｑ、Ｓ方向では、矢印Ｐ、Ｒ方向に比べて硬い把持感触を得ることができ、回転方向によって複数の把持感触が得られる。（グリップ部材の撓み量、Ｐ＞Ｒ＞Ｑ＝Ｓ）
【実施例２】
【００１９】
図５から図８に示す実施例２の筆記具の軸筒１１は、実施例１と同様に、軸筒本体１２に他の軸筒本体の外径より小径の把持部１３を形成してあり、この把持部１３に半透明のシリコーンからなる筒状のグリップ部材１５を装着して筆記具の軸筒１１を得ている。また、軸筒本体１２の先端部に形成した雄ねじ部１７に口金１６の雌ねじ部１８を着脱自在に螺合してある。
【００２０】
小径の把持部１３には、円周上に非連続、且つ軸方向に延びる溝状の凹部１４ａ、１４ｂを、円周方向に２個、形成してある。凹部１４ａ、１４ｂは、幅を同一（Ｌ２＝Ｍ２）とし、凹部の深さの相違によって形状を異ならしめてある。具体的には、一方の凹部１４ａの深さ幅Ｎに対して、他方の凹部４ｂの幅ｎを小さくしてある。（Ｎ＞ｎ）
【００２１】
円周上に非連続、円周方向で隣設する凹部とで形状が異なることによって、実施例１と同様に、図８に示すように、矢印Ｐ方向ではグリップ部材が内側に撓む量が多く柔らかい把持感触、矢印Ｒ方向では、矢印Ｐ方向よりもグリップ部材の撓む量が小さいのでやや柔らかい把持感触、矢印Ｑ、Ｓ方向では、矢印Ｐ、Ｒ方向よりも硬い把持感触を得ることができ、回転方向によって複数の把持感触が得られる。（グリップ部材の撓み量、Ｐ＞Ｒ＞Ｑ＝Ｓ）
【実施例３】
【００２２】
図９から図１３に示す実施例３の筆記具の軸筒２１は、実施例１、２と同様に、軸筒本体２２に他の軸筒本体の外径より小径の把持部２３を形成してあり、この把持部２３に半透明のシリコーンからなる筒状のグリップ部材２５を装着して筆記具の軸筒２１を得ている。また、軸筒本体２２の先端部に形成した雄ねじ部２７に口金２６の雌ねじ部２８を着脱自在に螺合してある。
【００２３】
小径の把持部２３には、円周上に非連続、且つ軸方向に延びる溝状の凹部２４ａ、２４ｂを、円周方向に２個、形成してある。凹部２４ａは、把持部先端２３ａから把持部２３の中央部に向かって、凹部の幅を徐々に大きく（Ｌ２＜Ｌ３）形成し、把持部２３の中央から把持部後端２３ｂに向かって徐々に幅を小さく（Ｌ３＞Ｌ４）する形状としてある。また、凹部２４ｂは、把持部先端２３ａから把持部２３の中央部に向かって、凹部２４ｂの幅を徐々に小さく（Ｍ２＞Ｍ３）形成し、把持部２３の中央部から把持部後端２３ｂに向かって徐々に幅を大きく（Ｍ３＜Ｍ４）する形状としてある。
【００２４】
円周上に非連続、円周方向で隣設する凹部２４ａ、２４ｂとで形状が異なることによって、実施例１、２と同様に、図１２に示すように、把持部２３の先端部及び後端部では、矢印Ｒ方向ではグリップ部材２５が内側に撓む量が多く柔らかい把持感触、矢印Ｐ方向では、矢印Ｒ方向よりもグリップ部材２５の撓む量が小さいのでやや柔らかい把持感触、矢印Ｑ、Ｓ方向では、矢印Ｐ、Ｒ方向よりも硬い把持感触を得ることができ、回転方向によって複数の把持感触が得られる。（グリップ部材の撓み量、Ｒ＞Ｐ＞Ｑ＝Ｓ）
【００２５】
また、個々の凹部２４ａ、２４ｂは、把持部２３の中央部を基準として略対象形とし、凹部２４ａと凹部２４ｂの形状も略対象に形成してあるので、図１３に示すように、把持部の略中央部では、矢印Ｐ方向ではグリップ部材が内側に撓む量が多く柔らかい把持感触、矢印Ｒ方向では、矢印Ｐ方向よりもグリップ部材の撓む量が小さいのでやや柔らかい把持感触、矢印Ｑ、Ｓ方向では、矢印Ｐ、Ｒ方向よりも硬い把持感触となり、回転方向によって複数の把持感触が得られるとももに、把持部２３の先端部、中央部、後端部で略同等の把持感触を得ることができる。（グリップ部材の撓み量、Ｐ＞Ｒ＞Ｑ＝Ｓ）
【００２６】
本実施例では、便宜上、筆記体を図示していないが、筆記具として使用する場合には、軸筒内にボールペンレフィル等の筆記体を配設して使用する。
【００２７】
また、凹部の形状は、円周方向で異なる位置に複数個形成するとともに、円周方向で隣設する一方及び／又は両方の凹部とで形状が異なっていれば特に限定されるものではないが、グリップ部材を透明又は半透明とし、凹部の形状を文字や図形にすることによって、外観からは、凹部が陰影となって、装飾効果を得る事ができるので好ましい。
【産業上の利用可能性】
【００２８】
キャップ式、ノック式等、筆記具の軸筒として広く実施可能であり、ボールペンや塗布具等、インキの種類に限定されるこのなく実施することができる。
【図面の簡単な説明】
【００２９】
【図１】実施例１の筆記具の軸筒を示す一部省略した縦断面図である。
【図２】図１における、Ｐ方向からみた軸筒本体の一部省略した外観図である。
【図３】図１における、Ｒ方向からみた軸筒本体の一部省略した外観図である。
【図４】図１におけるＡ−Ａ拡大断面図である。
【図５】実施例２の筆記具の軸筒を示す一部省略した縦断面図である。
【図６】図５における、Ｐ方向からみた軸筒本体の一部省略した外観図である。
【図７】図５における、Ｒ方向からみた軸筒本体の一部省略した外観図である。
【図８】図５におけるＢ−Ｂ拡大断面図である。
【図９】実施例２の筆記具の軸筒を示す一部省略した縦断面図である。
【図１０】図９における、Ｐ方向からみた軸筒本体の一部省略した外観図である。
【図１１】図９における、Ｒ方向からみた軸筒本体の一部省略した外観図である。
【図１２】図９におけるＣ−Ｃ拡大断面図である。
【図１３】図９におけるＤ−Ｄ拡大断面図である。
【符号の説明】
【００３０】
１、１１、２１  筆記具の軸筒
２、１２、２２  軸筒本体
３、１３、２３  把持部
４ａ、４ｂ、１４ａ、１４ｂ、２４ａ、２４ｂ  凹部
５、１５、２５  クリップ部材
６、１６、２６  口金
７、１７、２７  雄ねじ部
８、１８、２８  雌ねじ部
【図１】
2007144702.tif 000003
【図２】
2007144702.tif 000004
【図３】
2007144702.tif 000005
【図４】
2007144702.tif 000006
【図５】
2007144702.tif 000007
【図６】
2007144702.tif 000008
【図７】
2007144702.tif 000009
【図８】
2007144702.tif 000010
【図９】
2007144702.tif 000011
【図１０】
2007144702.tif 000012
【図１１】
2007144702.tif 000013
【図１２】
2007144702.tif 000014
【図１３】
2007144702.tif 000015